(57)【特許請求の範囲】
【請求項１】
中央に液注出口１１ａを有する天面壁１１ｈと、該天面壁１１ｈの内周端部から上方内側に向かって延び、中央に液注出口を有する傾斜環状壁１１ｆと、該天面壁１１ｈの外周縁から垂下し内周にボトル容器本体Ｂの開口部ＢＯと係合する係合突条１１ｉを有するスカート壁１１ｊを有し、該天面壁１１ｈに該液注出口１１ａを囲繞し上方に延び且つ外周に雄ネジ部１１ｋが形成された注出筒１１ｇが設けられているキャップ本体１１と、
上部を形成する頂板部１３ｃと、該頂板部１３ｃの周縁から垂下する側周壁１３ｄを有し、該側周壁１３ｄに該雄ネジ部１１ｋとネジ締結可能な雌ネジ部１３ｅが内周に形成されている上蓋１３と、
天板１２ｃと該天板１２ｃの中央下面から下方に延びるウェイト部１２ｆからなるウェイト弁体１２と、を備えた詰め替え防止キャップであって、
該ウェイト部１２ｆは、該液注出口１１ａ内に自重により上下動可能に装填されており、
該上蓋１３を該キャップ本体１１にネジ締結しているときに、該上蓋頂板部１３ｃ内面から垂下するインナーリング１３ｂが、該ウェイト弁体天板上面１２ｅを押圧することにより、該ウェイト弁体天板１２ｃ下面と該液注出口１１ａとを当接させ、
該上蓋１３を該キャップ本体１１から取り外したときに、該ウェイト弁体１２が上下動可能となり、該ボトル容器本体Ｂ内から外部へ液注出を許容し、
該ウェイト弁体１２には、前記傾斜環状壁の下面に形成された複数のリブ１１ｂと係止して該ウェイト弁体１２の上方への移動を規制する規制手段１２ｄが設けられており、
前記規制手段１２ｄは、前記ウェイト弁体１２の側壁部から周方向に突設され、上下動する複数の可撓性羽状係止片１２ｄであり、ウェイト弁体１２のウェイト部１２ｆをキャップ本体１１の液注出口１１ａに装填すると、
折り曲げられた可撓性羽状係止片１２ｄの先端は、
天面壁の前記傾斜環状壁の下面に設けられたリブ１１ｂを通過した後、
該リブ１１ｂの下方位置で復帰して外方に広がり、
該羽状係止片が該リブ１１ｂに係止することにより、
該ウェイト弁体１２の上方への移動が規制されることを特徴とする詰め替え防止キャップ。
【請求項２】
前記キャップ本体天面壁１１ｈの中央部は、上方内側に向かってその先端部が小径になるように傾斜している傾斜環状壁１１ｆからなる請求項１に記載の詰め替え防止キャップ。
【請求項３】
前記キャップ本体天面壁１１ｈは、前記注出筒１１ｇの基端部より外側に環状弱化部１１ｅが設けられ環状弱化部１１ｅを介してスカート壁１１ｊと破断容易に形成されている請求項１又は２に記載の詰め替え防止キャップ。
【発明の詳細な説明】
【技術分野】
【０００１】
本発明はびん等のボトル容器の開口部に装着される詰め替え防止キャップに関し、詳しくは、内容物の再充填防止機能を有するとともに、
キャップが取り外された履歴を明示しボトル容器の内容物の安全性を担保することができる、詰め替え防止キャップに関する。
【背景技術】
【０００２】
従来、不正な詰め替えやいたずらを防止してその安全性や品質を確保するためのキャップとして、開封履歴を明示するためのＴＥバンド（タンパーエビデントバンド）などが取り付けられたスクリューキャップが一般的に採用されている。このような詰め替え防止キャップに関連して、例えば以下のような技術のものが知られている。
【０００３】
特許文献１には、逆止弁である補充防止バルブと、注ぎ口と、スリーブとを有し、スリーブはびんの口にぴったり合っていて、補充防止バルブと注ぎ口をびんの口に保持する、びんの口に連結した円筒状の詰替防止ふたが記載されている。
【特許文献１】特許３４５５２３８号公報
【発明の開示】
【発明が解決しようとする課題】
【０００４】
しかしながら、従来の詰め替え防止用のキャップでは、以下のような問題があった。
すなわち、特許文献１に記載の詰替防止ふたは、ふたを構成する部品点数が多く組み立てが複雑であり、また、工業生産上の経済性に欠けるという問題があった。
【０００５】
本発明は前記の問題点を解決するためになされたもので、キャップを構成する部品点数を減らして安価に製造でき、しかも、内容物の安全性や品質保持性を担保することができる詰め替え防止キャップを提供することを目的とする。
【課題を解決するための手段】
【０００６】
（１）前記従来の課題を解決するためになされた本発明の詰め替え防止キャップは、
天面壁と、該天面壁の内周端部から上方内側に向かって延び、中央に液注出口を有する傾斜環状壁と、該天面壁の外周縁から垂下し内周にボトル容器本体の開口部と係合する係合突条を有するスカート壁を有し、該天面壁に該液注出口を囲繞し上方に延び且つ外周に雄ネジ部が形成された注出筒が設けられているキャップ本体と、
上部を形成する頂板部と、該頂板部の周縁から垂下する側周壁を有し、該側周壁に該雄ネジ部とネジ締結可能な雌ネジ部が内周に形成されている上蓋と、
天板と該天板の中央下面から下方に延びるウェイト部からなるウェイト弁体と、を備えた詰め替え防止キャップであって、
該ウェイト部は、該液注出口内に自重により上下動可能に装填されており、
該上蓋を該キャップ本体にネジ締結しているときに、該上蓋頂板部内面から垂下するインナーリングが、該ウェイト弁体天板上面を押圧することにより、該ウェイト弁体天板下面と該液注出口とを当接させ、
該上蓋を該キャップ本体から取り外したときに、該ウェイト弁体が上下動可能となり、該ボトル容器本体内から外部へ液注出を許容し、
該ウェイト弁体には、前記傾斜環状壁の下面に形成された複数のリブ１１ｂと係止して該ウェイト弁体の上方への移動を規制する規制手段が設けられており、
前記規制手段１２ｄは、前記ウェイト弁体１２の側壁部から周方向に突設され、上下動する複数の可撓性羽状係止片１２ｄであり、ウェイト弁体１２のウェイト部１２ｆをキャップ本体１１の液注出口１１ａに装填すると、
折り曲げられた可撓性羽状係止片の先端は、
天面壁の前記傾斜環状壁の下面に設けられたリブを通過した後、
該リブの下方位置で復帰して外方に広がり、
該羽状係止片が該リブに係止することにより、
該ウェイト弁体の上方への移動が規制されることを特徴とする。
【０００８】
（２）本発明の請求項２の詰め替え防止キャップは、前記（１）において、
前記キャップ本体天面壁の中央部は、上方内側に向かってその先端部が小径になるように傾斜している傾斜環状壁からなるものであることを特徴とする。
【０００９】
（３）本発明の詰め替え防止キャップは、前記（１）又は（２）において、
前記キャップ本体天面壁は、前記注出筒の基端部より外側に環状弱化部が設けられ環状弱化部を介してスカート壁と破断容易に形成されているものであることを特徴とする。
【発明の効果】
【００１０】
本発明の詰め替え防止キャップは、キャップ本体中央の液注出口内に上下動可能に取り付けられたウェイト部を有するので、ボトル容器本体への液充填を阻止することができ、ボトル容器本体からキャップ本体が取り外された履歴が明示されるので、ボトル容器の内容物の安全性を担保することができる。
【発明を実施するための最良の形態】
【００１１】
本実施形態の詰め替え防止キャップは、キャップ本体と、上蓋と、ウェイト弁体とを備え、キャップ本体には、
液注出口を有する天面壁と、
天面壁の周縁から垂下し内周にボトル容器本体の開口部と係合する係合突条を有するスカート壁を有し、天面壁に液注出口を囲繞し上方に延び且つ外周に雄ネジ部が形成された注出筒が設けられている。
上蓋には、頂板部と、頂板部の周縁から垂下する側周壁を有し、側周壁に雄ネジ部とネジ締結可能な雌ネジ部が内周に形成されている。
【００１２】
上蓋は、キャップ本体上部に覆設されており、上蓋頂板部内面から垂下するインナーリングによってウェイト弁体の天板上面を押圧し、シール機能を有している。
また、上蓋は、天板と天板の周縁部から延設された周側面とを有し、
インナーリングの外方には、インナーリングと同様にアウターリングが垂下しており、
上蓋をキャップ本体に装着したときに、このアウターリングの下端がキャップ本体の注出筒に嵌合して密着し、シール性を確保するようになっている。
【００１３】
ウェイト弁体は、天板と該天板の中央下面から下方に延びるウェイト部を備え、ウェイト部が液注出口内に上下動可能に装填されており、上蓋をキャップ本体にネジ締結しているときに、上蓋頂板部内面から垂下するインナーリングが、ウェイト弁体天板上面を押圧することにより、ウェイト弁体天板下面と液注出口とを密着させボトル容器本体の開口部を密封し、上蓋をキャップ本体から取り外したときに、ウェイト弁体が上下動可能となり、ボトル容器本体内から外部へ液注出を許容する。
【００１４】
ウェイト弁体には、液注出口と係止して該ウェイト弁体の上方への移動を規制する規制手段がウェイト部の側壁部などに複数設けられており、上蓋をキャップ本体から取り外したときに上下動可能となったウェイト弁体が上方への移動するのを規制する。
【００１５】
規制手段としては、ウェイト弁体のウェイト部の側壁部から周方向に突設された複数の可撓性羽状係止片などが挙げられ、羽状係止片が液注出口に設けられた複数のリブに係止することにより、ウェイト弁体の上方への移動を規制する。
【００１６】
規制手段となる可撓性羽状係止片は、ポリエチレンなどの可撓性プラスチックなどで形成されており、ウェイト弁体のウェイト部先端をリブの間隙に押し込んでボトル容器の開口部内に装填すると、可撓性羽状係止片は縮径するように変形してリブを通過して、通過後は可撓性羽状係止片が復帰して拡径する。拡径した可撓性羽状係止片は、リブによって規制されながら液注出口内に上下動可能に保持される。
【００１７】
リブは、キャップ本体中央の液注出口から中心に向けて複数延設されており、隣接するリブ間の間隙とウェイト弁体の天板との間で形成される空間が流路となり、ボトル容器内の内容物が流路を通過して外部に注出される。
【００１８】
液注出口は、キャップ本体天面壁から上方に延び且つ先細りの傾斜環状壁によって形成される内容物を注出する開口部である。
【００１９】
キャップ本体の天面壁は、注出筒の基端部より外側にタンパーエビデント機能を有した環状弱化部が設けられており、環状弱化部は、周方向に間隔をおいて設けられた複数個のブリッジを介して、キャップ本体とスカート壁とを接続しており、ねじりや上方向への力により、環状弱化部が容易に破断されるようになっている。
【００２０】
キャップ本体やウェイト弁体、上蓋に用いられる合成樹脂の素材としては、例えば、ポリエチレン、ポリプロピレン、熱可塑性ポリエステル、ポリアミド、スチレン系樹脂、ＡＢＳ樹脂等が挙げられ、射出成形、圧縮成形等の一体成形等の製造方法により、詰め替え防止キャップを製造することができる。
【００２１】
なお、本発明で、ボトル容器とは、雄ネジ部が設けられ開口部に、キャップの雌ネジを螺合してボトル容器を密封する、飲料や調味料などが充填されるガラスびん、プラスチック容器などが挙げられる。
【実施例】
【００２２】
本発明を添付図面に示す具体的実施例に基づいて説明する。
図１は本発明の実施例に係る詰め替え防止キャップの正面断面図であり、図２は同詰め替え防止キャップの分解断面図である。
図１及び図２において、本実施例の詰め替え防止キャップ１０は、
キャップ本体１１、ウェイト弁体１２及び上蓋１３を有し、
キャップ本体１１はボトル容器本体Ｂの開口部Ｂ０に螺合部を介して取り付けられ、
ウェイト弁体１２はキャップ本体１１の中央に開口した液注出口１１ａ内に上下動可能に取り付けられており、
上蓋１３はウェイト弁体１２の天板上面１２ｅをインナーリング１３ｂを介して押圧してボトル容器本体Ｂをウェイト弁体１２のシール部１２ａで密封している。
【００２３】
また、キャップ本体１１は、内方に液注出口１１ａを有する天面壁１１ｈと、
天面壁１１ｈの外周縁から垂下し内周にボトル容器本体Ｂの開口部ＢＯと係合する係合突条１１ｉを有するスカート壁１１ｊを備える。
天面壁１１ｈの上方には、液注出口１１ａを囲繞し且つ外周に雄ネジ部１１ｋを形成した注出筒１１ｇが延設され、
注出筒１１ｇの下端部となる天面壁１１ｈの外周には、環状弱化部１１ｅを介してスカート壁１１ｊが下方に延設されている。
さらに、注出筒１１ｇの内側に、天面壁１１ｈの内周端部から上方内側に向かってその先端部が順次小径になるように傾斜して傾斜環状壁１１ｆが形成されるとともに、
傾斜環状壁１１ｆの内周面にはリブ１１ｂが複数個突出して設けられている。
【００２４】
上蓋１３は、上部を形成する頂板部１３ｃと、頂板部１３ｃの周縁から垂下する側周壁１３ｄとを有し、側周壁１３ｄの内周には、キャップ本体１１の雄ネジ部１１ｋとネジ締結可能な雌ネジ部１３ｅが形成されている。
また、上蓋１３の頂板部１３ｃ内面から、インナーリング１３ｂ及びその外側にアウターリング１３ｆを円筒状に垂下させている。
【００２５】
ウェイト弁体１２は、天板１２ｃと天板１２ｃの中央下面から下方に延びるウェイト部１２ｆとからなり、液注出口１１ａ内に上下動可能に装填されている。
ウェイト部１２ｆは、その下端側に設けられた球や紡錘形状などの形状をした球状先端部１２ｂと、球状先端部１２ｂから上方に延設された円筒形状の基部１２ｇと、基部１２ｃの周囲に外方に向かって突設された複数の規制手段１２ｄとを有している。
規制手段１２ｄとしては、基部１２ｇに一辺が固定されその先端が自由に上下動する羽状の突設片である可撓性羽状係止片が挙げられる。
【００２６】
図３の（ａ）はウエイト弁体１２の縦断面図であり、（ｂ）は、（ａ）を下方から見た底面図である。図示するように、可撓性羽状係止片１２ｄは、球状先端部１２ｂ及び基部１２ｇとの間の境界から、羽状の突設片が互いに直交する４方向に外方に突出して設けられており、その先端を押圧することによって上又は下方向に折り曲げられて縮径し、この押圧力を除くことで一旦折り曲げられ縮径した可撓性羽状係止片１２ｄが復帰して拡径されるようになっている。
【００２７】
したがって、図２に示すように、ウェイト弁体１２の球状先端部１２ｂをキャップ本体１１の液注出口１１ａに押し込むようにして装填すると、折り曲げられた可撓性羽状係止片１２ｄの先端は、リブ１１ｂを通過した後リブ１１ｂの下方位置で復帰して外方に広径して広がるとともに、リブ１１ｂに係止して上方への移動が規制されるようになる。
こうして、容器を傾けたときにウェイト弁体１２の脱落が規制されるようにしている。
なお、ウェイト弁体１２の素材としては、ポリエチレンなどの可撓性プラスチックなどが挙げられる。
【００２８】
図４は、キャップ本体の説明図であり、（ａ）は上面図、（ｂ）は（ａ）のｘ−ｘ断面図、（ｃ）は底面図である。
図２、図４などに示すように、キャップ本体１１には、その中央に、液注出口１１ａが傾斜環状壁１１ｆによって開口形成されている。
【００２９】
また、キャップ本体１１の天面壁１１ｈは、注出筒１１ｇの基端部より外側にタンパーエビデント機能を有した環状弱化部１１ｅが設けられており、
環状弱化部１１ｅは、周方向に間隔をおいて設けられた複数個のブリッジを介して、キャップ本体１１とスカート壁１１ｊとを接続しており、ねじりや上方向への力により、環状弱化部１１ｅが容易に破断される。なお、環状弱化部１１ｅは、複数個のブリッジに替えて、肉厚を薄くしたスコアにより形成することも可能である。
ブリッジは、キャップ本体１１を一体的に作成した後に、切断工具を用いて、環状弱化部１１ｅ形成予定部へ下方から切り込みを入れることで形成できる。
【００３０】
次に、上蓋について説明する。上蓋１３は、頂板部１３ｃと、頂板部１３ｃの周縁から垂下する側周壁１３ｄとを備え、側周壁１３ｄに雄ネジ部とネジ締結可能な雌ネジ部１３ｅがその内周に形成されている。
上蓋１３の頂板部１３ｃの内側には、円筒状に垂下する小径のインナーリング１３ｂと、その外側から垂下する大径のアウターリング１３ｆとが、略同心円状に設けられている。
キャップ本体１１への上蓋１３装着時に、小径のインナーリング１３ｂによってウェイト弁体１２の天板上面１２ｅが押圧されるとともに、
ウェイト弁体１２の天板１２ｃの下面のシール部１２ａとリブ１１ｂ上端のシール部１１ｄとが圧着されてボトル容器本体Ｂの内容物が密封される。
アウターリング１３ｆは、上蓋１３のキャップ本体への装着時に注出筒１１ｇ内に嵌合して、傾斜環状壁１１ｆと注出筒１１ｇとの間の基部に溜まった液が外部に流出しないように密封する機能を備えている。
また、上蓋１３の下端側には、弱化部１３ａを介して連接するためのタンパーエビデントリング１３ｇが設けられている。
弱化部１３ａは、周方向に間隔をおいて設けられた複数個のブリッジを介して、上蓋１３とタンパーエビデントリング１３ｇとを接続しており、ねじりの力により、弱化部１３ａが容易に破断され、上蓋１３を開封することができる。
【００３１】
図５は、上蓋１３を一旦取り外して開封し内容物を注出した後、上蓋を再封した状態の説明図である。図示するように、キャップ本体１１の注出筒１１ｇと傾斜環状壁１１ｆとの基部間に溜まった残り液１４は、注出筒１１ｇ内面とアウターリング１３ｆの外面とで完全にシールされた空間に密閉されるので、残り液１４が外部に流れ出るようなことがない。
また、天板１２ａと傾斜環状壁１１ｆのシール部１１ｄとによってボトル容器内部への侵入も遮断される。
よって、上蓋の開封後におけるボトル容器の衛生状態や安全性をさらに確実に維持させることができる。
【００３２】
図６は、ボトル容器本体Ｂから上蓋１３を取り外して内容物を注出する際のウェイト弁体１２の動作を示す説明図である。図示するように、ボトル容器本体Ｂを矢印方向Ｙに傾けることによって、ウェイト弁体１２はその自重で液注出口１１ａから外方へ移動するとともに、ウェイト弁体１２の天板１２ｃのシール部１２ａとリブ１１ｂ上端のシール部１１ｄとが離隔して、この離隔によって形成された流路Ｒを介してボトル容器本体Ｂに保持された内容物を注出させることができる。
すなわち、規制手段である可撓性羽状係止片１２ｄによってウェイト弁体１２の脱落を規制した状態において、ウェイト弁体１２のウェイト部１２ｆと液注出口１１ａとの間に、内容液を外部に注出するための流路Ｒが形成される。
なお、本実施例のキャップは、ボトルを正立させた状態で、ウェイト弁体１２の自重によって流路Ｒを塞ぐことができるので、再充填を有効に防止できる。
【００３３】
図７は、環状弱化部１１ｅの破断によって、キャップ本体１１からスカート壁１１ｊが分離された状態を示す説明図である。図示するように、上蓋１３を外したキャップ本体１１を、無理矢理にボトル容器本体Ｂの開口部ＢＯから取り外して内容物を詰め替えようとすると、
天面壁１１ｈの外縁に形成した環状弱化部１１ｅが破断して、上方の注出筒１１ｇと下方のスカート壁１１ｊとが分離して復帰不能状態になる。
このように、ボトル容器本体Ｂからキャップ本体１１が取り外された履歴が明示されるので、ボトル容器の内容物の安全性を担保することができる。
【００３４】
本発明はボトル容器本体への液充填を阻止しボトル容器本体内から外部への液注出を許容するウェイト弁体を設けたことを要旨とするものであり、これに該当するものは本発明の権利範囲である。
例えば、本実施例では、ウェイト弁体として先端が球状のものとしたが逆止弁としての機能があればこの他の形状、例えば柱状のものであってもよい。また、ウェイト弁体を上下動可能に保持する手段として羽根状に突出した可撓性羽状係止片を用いたが、このような規制手段となる可撓性羽状係止片の枚数や形状などはこれらのもの限定されるものではない。
【産業上の利用可能性】
【００３５】
本発明により、キャップ本体の中央の液注出口内に上下動可能に取り付けられたウェイト部を有するので、ボトル容器本体への液充填を阻止するとともに、ボトル容器本体からキャップ本体が取り外された履歴が明示され、ボトル容器の内容物の安全性を担保した、詰め替え防止キャップを提供することができる。
【図面の簡単な説明】
【００３６】
【図１】詰め替え防止キャップの正面断面図である。
【図２】同詰め替え防止キャップの分解断面図である。
【図３】ウェイト弁体の説明図である。
【図４】キャップ本体の説明図である。
【図５】上蓋再封状態の説明図である。
【図６】ウェイト弁体の動作を示す説明図である。
【図７】環状弱化部の破断状態を示す説明図である。
【符号の説明】
【００３７】
１０  実施例の詰め替え防止キャップ
１１  キャップ本体
１１ａ  液注出口
１１ｂ  リブ
１１ｄ  シール部
１１ｅ  環状弱化部
１１ｆ  傾斜環状壁
１１ｇ  注出筒
１１ｈ  天面壁
１１ｉ  係合突条
１１ｊ  スカート壁
１１ｋ  雄ネジ部
１２  ウェイト弁体
１２ａ  シール部
１２ｂ  球状先端部
１２ｃ  天板
１２ｄ  可撓性羽状係止片（規制手段）
１２ｅ  天板上面
１２ｆ  ウェイト部
１２ｇ  基部
１３  上蓋
１３ａ  弱化部
１３ｂ  インナーリング
１３ｃ  頂板部
１３ｄ  側周壁
１３ｅ  雌ネジ部
１３ｆ  アウターリング
１３ｇ  タンパーエビデントリング
１４  残り液
【図１】
0004803650.tif 000002
【図２】
0004803650.tif 000003
【図３】
0004803650.tif 000004
【図４】
0004803650.tif 000005
【図５】
0004803650.tif 000006
【図６】
0004803650.tif 000007
【図７】
0004803650.tif 000008